(57)【要約】      （修正有）【課題】磁力のみによって駆動、停止を行う磁力原動機の実用化を促進し、より強力な磁力による反発吸引作用を得る。【解決手段】磁力原動機は側面使用の４極固定磁石（厚み３０ｍｍ外径５００φ内径４４０φを４等分してカットしＮ盤・Ｓ盤・Ｎ盤・Ｓ盤と合した４ヶ所へ１２０ｍｍ宛のカットしアルミ棒を挟んだ固定磁石輪）を一段毎に４５ｍｍ離し同符合反発させるように四段重ねた輪の中へ二段重ねの回転磁石を入れると強い力で回転し静止線上を越えるとスプリングの力で２０ｍｍ下のＳ盤へ押し下げると一段目は正常回転力と反対回転力が同じ力になって回転力が無くなり二段目は強い力で回転し静正線上を越えるとカムにより２０ｍｍ上のＳ盤へ押し上げると強い力で円芯運動します。【選択図】図１
2012219811.tif 000002
【特許請求の範囲】
【請求項１】
磁力原動機は側面使用の４極固定磁石  厚み２０ｍｍ外径５００φ内径４４０φを４等分してカットしＮ盤・Ｓ盤  Ｎ盤・Ｓ盤と合した４ヶ所へ１２０ｍｍ宛カットし、アルミ棒を挟んだ固定磁石輪を一段毎に４５ｍｍ離し同符合反発させるように四段重ねた輪の中へ二段重ねの回転磁石を入れると強い力で回転し静止線上を越えるとスプリングの力で２０ｍｍ下のＳ盤へ押し下げると強い力で回転し静止線上を越えるとカムにより２０ｍｍ上のＳ盤へ押し上げると強い力で円芯運動します。
【請求項２】
回転磁石をカムで上下させる限界は３０ｍｍ内、これによって正常回転力と反対回転力が同じ力になると回転力が無くなります。それによって要所をフーリ回転させると回転効率が高くなります。
カムについて静止線を元にトップ後方をバック前方は停止となります。
始動はカムの山を下だった所をカットしているから回転磁石の足を押せばよい。
［図１３］カム両輪磁力原動機は表面使用の４極固定磁石輪厚み２０ｍｍ外径６００ｍｍφ内径５２０φを４等分してカット  Ｎ盤・Ｓ盤・Ｎ盤・Ｓ盤と合した４ヶ所へ１４０ｍｍ宛カットした空間とＮ面  Ｓ面へ８２ｍｍ毎に幅１０ｍｍ深さ３５ｍｍのみぞを作た輪から４０ｍｍ上の磁石輪を固定した中へ表面Ｎ回転磁石を入れるとＮ盤の中心からＳ盤の中心まで強い力で回転し静止線上を越えるとカムで２０ｍｍ上のＮ盤へ滑り上がるサイクルにより強い力で円芯運動します。
図１４の様に磁石輪を作るには軟鉄パイプへ磁石板を合わせて型枠を作りそれを炉の中へ入れて溶すと出来上がり次は着磁となります
より強力な回転磁石は反発吸引力に応じた空間にすることです。
【請求項３】
ギヤ付き磁力原機（モータ）は表面使用する固定磁石輪の外径２７０φ内径２１０φ厚み３０ｍｍを２等分してカットＮ盤とＳ盤合す２ヶ所へ１００ｍｍ宛カットしアルミ棒を挟んだ輪とカムを固定した中へ入れる回転子は２ヶ所へギヤ付き磁石棒厚み３０ｍｍ４角長さ１５０ｍｍ主軸合わせて１９０ｍｍ２個と連結板ギヤ長さ２２１ｍｍを合せて表面Ｎ回転磁石を入れるとＮ盤の中心からＳ盤の中心まで強い力で回転し静止線上を越えると連結板ギヤとカムで３０ｍｍ突くとＮ回転磁石は３０ｍｍ回されてＳ回転磁石に変りＳ盤の中心からＮ盤の中心まで強い力で回転するサイクルにより強い力で円芯運動します。この回転磁石棒を９０度回すと回転力が無く成り１８０度回すと強い力で回転します。
【請求項４】
スプリングモータは大型プーリの軸元へカムを固定し外部は重り付きポッチを取り付けること。
【請求項５】
天秤棒へスプリングを固定しカムと天秤棒で下から上へ３５ｍｍスプリングを縮め一瞬に伸びる速い速度と強い力をポッチから重りへ伝えると強い力で円芯運動します。
これら総ての装置
【発明の詳細な説明】
【発明の詳細な説明】
【０００１】
【発明の名称】
磁力とスプリング原動機（モータ）
【技術分野】
【０００２】  人々が永遠に使用するエネルギーに磁力とかスプリングの瞬発力といった核運動エネルギーなのでこれらの材料は鉄の酸化物といって鉄のさびでスプリングは鋼鉄ですから無尽蔵に有ります。
【課題を解決するための手段】
【０００３】  従来の磁気力を利用して磁力を回転させる方法、又は磁力原動機は、特開昭５０−１１２７０９号公報、特開昭５４−６９７０７号公報に開示されている。
出願番号特願平３−６１３８０  平成３年３月１日
これらの技術は当時電流モータは軟鉄パイプの内面へ軟鉄板を間隔あけて８個使用しコイルを巻き回転子を入れ電流を流すとブラシで正常と反対に流し、Ｎ極からＳ極に変るサイクルにより強い力で円芯運動します。それで磁力原動機も同じ様に強さに応じてＮ盤とＳ盤の間隔をあけアルミ棒を挟んだ輪とカムを合せ中へ入れる回転子は２ヶ所へギヤ付き磁力棒３０ｍｍ４角でギヤ２０φ２個と連結板ギヤ合せて固定しＮ回転磁石を入れるとＮ盤の中心からＳ盤の中心まで強い力で回転し静止線上を越えると連結板ギヤとカムで３０ｍｍ突くとＮ回転磁石は３０ｍｍ回されてＳ回転磁石に変りＳ盤の中心からＮ盤の中心まで強い力で回転するサイクルにより強い力で円芯運動します。
【図面の簡単な説明】
【０００４】
【図１】磁力原動機の４極４段重ねの斜視図
【図２】磁力原動機の平面図
【図３】磁力原動機を示した断面図
【図４】カムパイプを示した図
【図５】回転子へ使用する磁石を示した図
【図６】磁力原動機のカバ内部は磁石を固定させる輪を示した斜視図
【図７】回転子を示した図
【図８】軟鉄パイプの蓋を示した図
【図９】ボルトを示した図
【図１０】主軸を示した図
【図１１】回転子を上下させるスプリングを示した図
【図１２】固定磁石輪を示した図
【図１３】表面使用の磁力原動機の斜視図
【図１４】表面使用の固定磁石輪を示した図
【図１５】カム両輪を示した斜視図
【図１６】回転子を示した斜視図
【図１７】回転子をカムで上下させることを示した斜視図
【図１８】ギヤ付き磁力原動機の斜視図
【図１９】ギヤ付き磁石棒を示した図
【図２０】主軸を示した図
【図２１】連結板ギヤの全面図
【図２２】固定磁石輪を示した斜視図
【図２３】カムプーリを示した斜視図
【図２４】スプリング原動機を実証する天秤棒などを示した図
【図２５】スプリング原動機を示した平面図
【図２６】スプリング原動機を示した斜視図
【図２７】天秤棒とスプリング付受け皿を示した図
【図２８】カムと主軸を示した斜視図
【図２９】大型プーリの外部へポッチと重りを示した図
【図３０】スプリング原動機の平面図
【符号の説明】
【０００５】１０  側面使用の固定磁石輪  １１  回転磁石  １２  回転磁石の足  １５  回転子
１６  回転磁石の軟鉄パイプ  １７  カムパイプ  ２５  連結板ギーヤ
２６  天秤棒とスプリング  ３０  受け皿  ２９  大型プーリの外部へポッチと重り
【図１】
2012219811.tif 000003
【図２】
2012219811.tif 000004
【図３】
2012219811.tif 000005
【図４】
2012219811.tif 000006
【図５】
2012219811.tif 000007
【図６】
2012219811.tif 000008
【図７】
2012219811.tif 000009
【図８】
2012219811.tif 000010
【図９】
2012219811.tif 000011
【図１０】
2012219811.tif 000012
【図１１】
2012219811.tif 000013
【図１２】
2012219811.tif 000014
【図１３】
2012219811.tif 000015
【図１４】
2012219811.tif 000016
【図１５】
2012219811.tif 000017
【図１６】
2012219811.tif 000018
【図１７】
2012219811.tif 000019
【図１８】
2012219811.tif 000020
【図１９】
2012219811.tif 000021
【図２０】
2012219811.tif 000022
【図２１】
2012219811.tif 000023
【図２２】
2012219811.tif 000024
【図２３】
2012219811.tif 000025
【図２４】
2012219811.tif 000026
【図２５】
2012219811.tif 000027
【図２６】
2012219811.tif 000028
【図２７】
2012219811.tif 000029
【図２８】
2012219811.tif 000030
【図２９】
2012219811.tif 000031
【図３０】
2012219811.tif 000032